(57)【要約】【課題】エアフィルタの着脱が容易で、何人がエアフィルタを清掃、交換しても、常に所定位置に位置決めして収納設置できる空気調和機を提供することを目的とする。【解決手段】縦長のキャビネットを備え、該キャビネットの下半部前面に吸込みパネル３が開閉可能に設けられ、その背面に上下方向にスライド可能とされたエアフィルタ５が着脱自在に設置されている空気調和機において、吸込みパネル３の下方部位に、エアフィルタ５を前後方向および左右方向の所定位置に誘導する傾斜ガイド１５が設けられるとともに、エアフィルタ５の下部に、傾斜ガイド１５に当接して誘導され、該エアフィルタ５を所定位置に位置決めして設置する規制部材２３が設けられている。【選択図】図３
2011137564.tif 000002
【特許請求の範囲】
【請求項１】
縦長のキャビネットを備え、該キャビネットの下半部前面に吸込みパネルが開閉可能に設けられ、その背面に上下方向にスライド可能とされたエアフィルタが着脱自在に設置されている空気調和機において、
前記吸込みパネルの下方部位に、前記エアフィルタを前後方向および左右方向の所定位置に誘導する傾斜ガイドが設けられるとともに、前記エアフィルタの下部に、前記傾斜ガイドに当接して誘導され、該エアフィルタを前記所定位置に位置決めして設置する規制部材が設けられていることを特徴とする空気調和機。
【請求項２】
前記傾斜ガイドは、前後方向に傾斜されている複数のリブを備え、その最下部位置に前後方向の位置決め部が設けられている前後方向傾斜ガイドと、左右方向に傾斜されている逆三角形状の複数の切欠き部を備え、その頂部位置に左右方向の位置決め部が設けられている左右方向傾斜ガイドとから構成されていることを特徴とする請求項１に記載の空気調和機。
【請求項３】
前記規制部材は、前記前後方向傾斜ガイドを介して前後方向の前記位置決め部に誘導される左右方向に延在された左右方向突条と、その両端から前後方向に延在され、前記左右方向傾斜ガイドを介して左右方向の前記位置決め部に誘導される前後方向突条とを備えたコの字断面形状の突条部材により構成されていることを特徴とする請求項２に記載の空気調和機。
【請求項４】
前記エアフィルタは、正面のフィルタ面に対して上下および左右に面を有する５面構成のフィルタとされ、各々の面が正面のフィルタ面との境界に折り曲げ用のヒンジ部を介して平面成形された後、各々の面を前記ヒンジ部で折り曲げ、隣接する面同士を結合手段で繋ぎ合わせることにより５面構成の箱形フィルタとされていることを特徴とする請求項１ないし３のいずれかに記載の空気調和機。
【発明の詳細な説明】
【技術分野】
【０００１】
本発明は、キャビネットの下半部前面に設けられている吸込みパネルの背面にエアフィルタが着脱自在に設置されている床置き型の空気調和機に関するものである。
【背景技術】
【０００２】
床置き型の空気調和機として、縦方向に長い長方形状のキャビネットを備え、このキャビネット内の下半部に室内空気を吸込むシロッコファン等の室内ファンが配置されるとともに、上半部に室内空気を冷却または加熱する室内熱交換器およびドレンパンが配置されており、更に該キャビネットの下半部前面に、左右両側部に吸込みグリルが設けられている吸込みパネルが設置されるとともに、上半部前面に、左右両側部に吹出しグリルが設けられた吹出しパネルが設置されている構成の空気調和機が知られている。
【０００３】
このような空気調和機において、縦長キャビネットの下半部前面に設置されている吸込みパネルは、下部を支点として上方部が前方に開閉可能に設けられており、この吸込みパネルの背面に、空気中の塵埃を除去するエアフィルタが、ガイドに沿って上下方向にスライド可能に設置されている。該エアフィルタは、清掃あるいは交換時、吸込みパネルを開放し、上方に引き出すことにより、あるいは上方から挿入することにより着脱自在とされている（例えば、特許文献１，２参照）。
【先行技術文献】
【特許文献】
【０００４】
【特許文献１】特開平１０−１８５２９３号公報（図１−図３参照）
【特許文献２】特開２００６−６４２１６号公報（図７、図８参照）
【発明の概要】
【発明が解決しようとする課題】
【０００５】
空気調和機において、エアフィルタは、除去した塵埃が堆積することにより効率が低下するため、こまめに清掃あるいは交換する必要があり、取出し易い構成とすることが望まれている。特許文献２には、吸込みパネルが開かれたとき、エアフィルタを上方に押し出すようにした技術が開示されている。しかしながら、エアフィルタは、取り出し易いだけでは不十分であり、清掃あるいは交換後に、元の位置にエアフィルタを戻す場合、所定の位置にエアフィルタを収納、設置しないと、吸込みパネルの開閉不良や騒音発生の原因となったり、塵埃がバイパスして内部に吸込まれ、内部汚れによる効率低下の原因となったりすることがある。
【０００６】
しかるに、上記のような床置き型の空気調和機において、エアフィルタの収納設置構造として、何人がエアフィルタを清掃または交換したとしても、元の位置に戻す場合、常に所定の位置にエアフィルタが収納設置されることを保証するような構成を採用しているものは見当たらず、特許文献１，２の空気調和機も、かかる構成は採られておらず、上記のような問題が発生する余地が残されていた。
【０００７】
本発明は、このような事情に鑑みてなされたものであって、エアフィルタの着脱が容易で、何人がエアフィルタを清掃、交換しても、常に所定位置に位置決めして収納設置することができる空気調和機を提供することを目的とする。
【課題を解決するための手段】
【０００８】
上記した課題を解決するために、本発明の空気調和機は、以下の手段を採用する。
すなわち、本発明にかかる空気調和機は、縦長のキャビネットを備え、該キャビネットの下半部前面に吸込みパネルが開閉可能に設けられ、その背面に上下方向にスライド可能とされたエアフィルタが着脱自在に設置されている空気調和機において、前記吸込みパネルの下方部位に、前記エアフィルタを前後方向および左右方向の所定位置に誘導する傾斜ガイドが設けられるとともに、前記エアフィルタの下部に、前記傾斜ガイドに当接して誘導され、該エアフィルタを前記所定位置に位置決めして設置する規制部材が設けられていることを特徴とする。
【０００９】
本発明によれば、開閉可能な吸込みパネルの背面に、上下方向にスライド可能とされたエアフィルタが着脱自在に設置されている空気調和機において、吸込みパネルの下方部位に、エアフィルタを前後方向および左右方向の所定位置に誘導する傾斜ガイドが設けられるとともに、エアフィルタの下部に、傾斜ガイドに当接して誘導され、該エアフィルタを所定位置に位置決めして設置する規制部材が設けられているため、吸込みパネルを前方に開き、エアフィルタを上方へ引き出すことによって、エアフィルタを取り外すことができる。また、エアフィルタを吸込みパネルの上方部から挿入し、自重によって下方にスライドさせ、規制部材を傾斜ガイドに当接させながら所定位置へと誘導することによって、常に所定位置にエアフィルタを位置決めして収納設置することができる。従って、エアフィルタの清掃、交換時の着脱作業を容易化することができるととともに、エアフィルタを常に所定位置に位置決めして収納設置することができるため、エアフィルタの位置ずれに起因する吸込みパネルの開閉不良や騒音の発生、塵埃のバイパスによる内部の汚れ等の問題を解消することができる。
【００１０】
さらに、本発明の空気調和機は、上記の空気調和機において、前記傾斜ガイドは、前後方向に傾斜されている複数のリブを備え、その最下部位置に前後方向の位置決め部が設けられている前後方向傾斜ガイドと、左右方向に傾斜されている逆三角形状の複数の切欠き部を備え、その頂部位置に左右方向の位置決め部が設けられている左右方向傾斜ガイドとから構成されていることを特徴とする。
【００１１】
本発明によれば、傾斜ガイドが、前後方向に傾斜されている複数のリブを備え、その最下部位置に前後方向の位置決め部が設けられている前後方向傾斜ガイドと、左右方向に傾斜されている逆三角形状の複数の切欠き部を備え、その頂部位置に左右方向の位置決め部が設けられている左右方向傾斜ガイドとから構成されているため、エアフィルタを自重によって下方にスライドさせると、規制部材が前後方向傾斜ガイドの傾斜リブおよび左右方向傾斜ガイドの逆三角形状の傾斜切欠き部に接し、その傾斜に沿って自然に前後方向位置決め部および左右方向位置決め部へと誘導され、それぞれの位置に位置決めされて設置される。従って、エアフィルタを常に所定位置に位置決めして収納設置することができ、エアフィルタの位置ずれに起因する諸問題を確実に解消することができる。また、傾斜ガイドを複数のリブ等により構成しているため、該リブ等を吸込みパネルの補強用リブとして兼用化し、吸込みパネルの強度アップを図ることができる。
【００１２】
さらに、本発明の空気調和機は、上記の空気調和機において、前記規制部材は、前記前後方向傾斜ガイドを介して前後方向の前記位置決め部に誘導される左右方向に延在された左右方向突条と、その両端から前後方向に延在され、前記左右方向傾斜ガイドを介して左右方向の前記位置決め部に誘導される前後方向突条とを備えたコの字断面形状の突条部材により構成されていることを特徴とする。
【００１３】
本発明によれば、規制部材が、前後方向傾斜ガイドを介して前後方向の位置決め部に誘導される左右方向に延在された左右方向突条と、その両端から前後方向に延在され、左右方向傾斜ガイドを介して左右方向の位置決め部に誘導される前後方向突条とを備えたコの字断面形状の突条部材により構成されているため、エアフィルタの下部に設けられたコの字断面形状の突条部材の左右方向に延在された左右方向突条を前後方向傾斜ガイドに当接させることにより、エアフィルタを前後方向の位置決め部に誘導し、同時に前後方向に延在された前後方向突条を左右方向傾斜ガイドに当接させることにより、エアフィルタを左右方向の位置決め部に誘導することができる。従って、エアフィルタをコの字断面形状の突条部材により前後方向および左右方向の位置決め部に同時に誘導し、簡単に位置決めして収納設置することができ、エアフィルタの設置を簡略化することができる。また、規制部材がコの字断面形状の突条部材とされているため、この突条部材をエアフィルタの補強用の突条（リブ部材）として兼用化し、エアフィルタの強度アップを図ることができる。
【００１４】
さらに、本発明の空気調和機は、上述のいずれかの空気調和機において、前記エアフィルタは、正面のフィルタ面に対して上下および左右に面を有する５面構成のフィルタとされ、各々の面が正面のフィルタ面との境界に折り曲げ用のヒンジ部を介して平面成形された後、各々の面を前記ヒンジ部で折り曲げ、隣接する面同士を結合手段で繋ぎ合わせることにより５面構成の箱形フィルタとされていることを特徴とする。
【００１５】
本発明によれば、エアフィルタが、正面のフィルタ面に対して上下および左右に面を有する５面構成のフィルタとされ、各々の面が正面のフィルタ面との境界に折り曲げ用のヒンジ部を介して平面成形された後、各々の面をヒンジ部で折り曲げ、隣接する面同士を結合手段で繋ぎ合わせることにより５面構成の箱形フィルタとされているため、５面構成の箱形フィルタを平面成形で一体に成形することが可能となり、成形用金型を簡素化し、成形を容易化することができる。また、フィルタ用樹脂材料の使用量を減少することができる。従って、エアフィルタを低コスト化することができるとともに、フィルタ面を増加することにより空力性能を改善し、省エネ化を図ることができる。
【発明の効果】
【００１６】
本発明によると、吸込みパネルを開放し、エアフィルタを上方へ引き出すことにより、エアフィルタを取り外すことができ、また、エアフィルタを吸込みパネルの上方部から挿入し、自重によって下方にスライドさせ、規制部材を傾斜ガイドに当接させながら所定位置へと誘導することにより、常に所定位置にエアフィルタを位置決めして収納設置することができるため、エアフィルタの清掃、交換時の着脱作業を容易化することができるととともに、エアフィルタを常に所定位置に位置決めして収納設置することができるため、エアフィルタの位置ずれに起因する吸込みパネルの開閉不良や騒音の発生、塵埃のバイパスによる内部の汚れ等の問題を解消することができる。
【図面の簡単な説明】
【００１７】
【図１】本発明の第１実施形態に係る空気調和機のエアフィルタを取り出している状態の斜視図である。
【図２】図１に示す空気調和機のエアフィルタを吸込みパネルに収納設置した状態の斜視図である。
【図３】図１に示す空気調和機の吸込みパネルを取り外し、エアフィルタ側から見た状態の斜視図である。
【図４】図３に示す吸込みパネルおよびエアフィルタを斜め上方から見た状態の斜視図である。
【図５】図３に示す吸込みパネルおよびエアフィルタを水平方向に寝かせた状態の斜視図である。
【図６】図３に示す吸込みパネルおよびエアフィルタにおいて、エアフィルタを所定位置に収納設置した状態の斜視図である。
【図７】本発明の第２実施形態に係る空気調和機用エアフィルタの成形時における展開図である。
【図８】図７の示すエアフィルタを５面構成の箱形フィルタとした状態の斜視図である。
【発明を実施するための形態】
【００１８】
以下に、本発明にかかる実施形態について、図面を参照して説明する。
［第１実施形態］
以下、本発明の第１実施形態について、図１ないし図６を用いて説明する。
図１には、本発明の第１実施形態に係る空気調和機のエアフィルタを取り出している状態の斜視図が示され、図２には、そのエアフィルタを吸込みパネルに収納設置した状態の斜視図が示されている。縦長の床置き型空気調和機１は、縦方向に長い長方形状のキャビネット２を備えている。この縦長のキャビネット２の前面側の下半部には、左右両側部がそれぞれ所定角のテーパ面とされている吸込みパネル３が設けられ、上半部には、左右両側部がそれぞれ所定角のテーパ面とされている吹出しパネル４が設けられている。
【００１９】
キャビネット２内の下半部には、吸込みパネル３の背面側に空気中の塵埃を除去するエアフィルタ５が、吸込みパネル３に対して着脱自在に設置されており、更にそのエアフィルタ５と対向するように、吸込みパネル３側に面して空気吸込み口７が設けられているシロッコファン等の室内ファン６が、吹出し口を上方に向けて配設されている。また、キャビネット２内の上半部には、縦長のフィンアンドチューブ型の室内熱交換器（図示省略）が上部を奥側に、下部を手前側に位置させて斜めに配置され、その下方部位には、ドレンパン（図示省略）が配設されている。
【００２０】
吸込みパネル３の左右両側部のテーパ面には、左右一対の吸込みグリル３Ａ，３Ｂが設けられている。吸込みグリル３Ａ，３Ｂは、上下方向に開口された長方形状の左右一対の空気吸込み口８Ａ，８Ｂと、この空気吸込み口８Ａ，８Ｂ内に、それぞれ垂直軸（図示省略）を介して一端縁側を支点に他端縁側が後方に開閉可能に設置されている垂直フラップ９Ａ，９Ｂとから構成されている。垂直フラップ９Ａ，９Ｂは、ステッピングモータ等の駆動手段（図示省略）を介して独立して回動自在とされている。
【００２１】
また、吹出しパネル４の左右両側部のテーパ面には、左右一対の吹出しグリル４Ａ，４Ｂが設けられている。吹出しグリル４Ａ，４Ｂは、それぞれ上下方向に開口されている上下一対の長方形状の空気吹出し口１０Ａ，１０Ｂおよび１０Ｃ，１０Ｄと、この空気吹出し口１０Ａ，１０Ｂおよび１０Ｃ，１０Ｄ内に、それぞれ垂直軸（図示省略）を介して一端縁側を支点に他端縁側が前方に開閉可能に設置されている垂直フラップ１１Ａ，１１Ｂおよび１１Ｃ，１１Ｄとから構成されている。これらの垂直フラップ１１Ａないし１１Ｄは、それぞれ図示省略のステッピングモータ等の駆動手段を介して独立して回動自在とされている。
【００２２】
なお、空気吹出し口１０Ａ，１０Ｂおよび１０Ｃ，１０Ｄに設けられている垂直フラップ１１Ａ，１１Ｂおよび１１Ｃ，１１Ｄの内部側には、それぞれ温調風の吹出し方向を上下方向に調整可能な複数枚の水平ルーバ（図示省略）が手動または駆動手段を介して回動自在に設置されている。
【００２３】
また、吹出しパネル４の下方部位には、水平方向に開口された水平吹出し口１２が設けられており、この水平吹出し口１２内にも、その開口を開閉可能な水平フラップ１３が独立したステッピングモータ等の駆動手段を介して回動またはスライド自在に設置されている。水平吹出し口１３には、温調風の吹出し方向を左右方向に調整可能な複数枚の垂直ルーバ（図示省略）が手動または駆動手段を介して回動自在に設置されている。なお、図１において、垂直フラップ９Ａ，９Ｂと、垂直フラップ１１Ａないし１１Ｄ、および水平フラップ１３は、何れも閉成状態（停止状態）とされている。
【００２４】
吸込みパネル３は、図１，２に示されるように、キャビネット２に対して下部を支点に上方部が前方に開閉可能とされている。吸込みパネル３の開き角度は、キャビネット２側と吸込みパネル３間に繋がれた左右一対の鎖、紐等から構成されるパネル開度調整部材１４Ａ，１４Ｂにより規制されている。この吸込みパネル３の内面側（背面側）に、エアフィルタ５が上下方向にスライドさせることにより着脱自在に設置されている。エアフィルタ５は、左右一対のパネル開度調整部材１４Ａ，１４Ｂの間で、上方に引き出すことにより取り外すことができ、また、上方から左右一対のパネル開度調整部材１４Ａ，１４Ｂ間に挿入することによって、自重で下方にスライドされるようになっている。
【００２５】
吸込みパネル３の下方部には、図３ないし図６に示されるように、エアフィルタ５を前後方向および左右方向の所定位置に位置決めして収納設置するための傾斜ガイド１５が設けられている。この傾斜ガイド１５は、前後方向に傾斜されている斜面１７Ａを有する複数のリブ１７を備え、その最下部位置に前後方向の位置決め部１７Ｂが設けられている前後方向傾斜ガイド１６と、左右方向に傾斜されている斜面１９Ａを有する逆三角形状の左右一対（複数）の切欠き部１９を備え、その頂部位置に左右方向の位置決め部１９Ｂが設けられている左右方向傾斜ガイド１８とから構成されている。
【００２６】
一方、エアフィルタ５は、５面構成の箱形フィルタとされ、正面とその左右両側面がフィルタ面とされている。エアフィルタ５の上面２０には、エアフィルタ５を着脱するための把手２１が設けられ、また、下面２２には、エアフィルタ５を吸込みパネル３の背面に収納、設置するとき、エアフィルタ５を傾斜ガイド１５の前後方向傾斜ガイド１６および左右方向傾斜ガイド１８に沿って前後方向の位置決め部１７Ｂおよび左右方向の位置決め部１９Ｂに誘導する規制部材２３が設けられている。
【００２７】
規制部材２３は、図５に示されるように、エアフィルタ５の下面から下方に突出されたおり、前後方向傾斜ガイド１６の複数のリブ１７の斜面１７Ａに当接し、エアフィルタ５を前後方向の位置決め部１７Ｂに誘導する左右方向に延在されている左右方向突条２３Ａと、左右方向傾斜ガイド１８の逆三角形状の切欠き部１９の斜面１９Ａに当接し、エアフィルタ５を左右方向の位置決め部１９Ｂに誘導する、左右方向突条２３Ａの両端部から前後方向に延在されている前後方向突条２３Ｂとを備えたコの字断面形状の突条部材によって構成されている。
【００２８】
以上に説明の構成により、本実施形態によれば、以下の作用効果を奏する。
エアフィルタ５は、吸込みパネル３の背面に着脱自在に収納設置されており、吸込みグリル３Ａ，３Ｂの空気吸込み口８Ａ，８Ｂから室内ファン６により吸込まれる室内空気中の塵埃を除去する機能を担っている。このエアフィルタ５は、運転時に堆積した塵埃を除去したり、あるいは交換したりするため、図１に示されるように、吸込みパネル３の上方部を前方に開き、把手２１を持って上方に引き出すことにより、取り外すことができる。
【００２９】
一方、取り外したエアフィルタ５を清掃した後あるいは交換した後、元の位置に収納設置する場合、エアフィルタ５を吸込みパネル３の上方から左右一対のパネル開度調整部材１４Ａ，１４Ｂ間に挿入することにより、エアフィルタ５はその自重により下方側にスライドする。そして、その最下位付近において、規制部材２３の左右方向突条２３Ａおよび前後方向突条２３Ｂが、それぞれ前後方向傾斜ガイド１６の複数のリブ１７の斜面１７Ａおよび左右方向傾斜ガイド１８の逆三角形状の切欠き部１９の斜面１９Ａに当接する。
【００３０】
これにより、規制部材２３の左右方向突条２３Ａおよび前後方向突条２３Ｂは、その斜面１７Ａおよび斜面１９Ａに沿って前後方向の位置決め部１７Ｂおよび左右方向の位置決め部１９Ｂに誘導され、エアフィルタ５は、自動的に所定位置に位置決めされて収納設置されるようになる。従って、エアフィルタ５の清掃、交換時の着脱作業を容易化することができるととともに、エアフィルタ５を常に所定位置に位置決めして収納設置することができるため、エアフィルタ５の位置ずれに起因する吸込みパネル３の開閉不良や騒音の発生あるいは塵埃のバイパスによる内部の汚れ等の問題を解消することができる。
【００３１】
また、エアフィルタ５を誘導する傾斜ガイド１５は、前後方向に傾斜されている複数のリブ１７を備えた前後方向傾斜ガイド１６と、左右方向に傾斜されている逆三角形状の複数の切欠き部１９を備えた左右方向傾斜ガイド１８とから構成されているため、上記の如くエアフィルタ５を常に所定位置に位置決めして収納設置し、エアフィルタ５の位置ずれに起因する諸問題を確実に解消することができるのみならず、吸込みパネル３の下方部位に設けられ、その補強用リブとして兼用化することができるため、吸込みパネル３の強度アップを図ることができる。
【００３２】
さらに、エアフィルタ５の下面に設けられている規制部材２３は、左右方向に延在された左右方向突条２３Ａと、その両端から前後方向に延在された前後方向突条２３Ｂとを備えたコの字断面形状の突条部材とされているため、上記の如くエアフィルタ５を前後方向および左右方向の位置決め部１７Ｂ，１９Ｂに同時に誘導し、簡単に位置決めして収納設置することができ、エアフィルタ５の設置を簡略化することができるのみならず、突条部材（規制部材２３）を、エアフィルタ５の補強用の突条（リブ部材）として兼用化することができるため、エアフィルタ５の強度アップを図ることができる。
【００３３】
［第２実施形態］
次に、本発明の第２実施形態について、図７および図８を用いて説明する。
本実施形態は、上記した第１実施形態に対して、エアフィルタ５０の構成が異なっている。その他の点については、第１実施形態と同様であるので説明は省略する。
本実施形態において、エアフィルタ５０は、正面のフィルタ面５１に対して上下および左右に面５２，５３および５４，５５を有する５面構成のフィルタとされている点でエアフィルタ５と変わりないが、上下および左右の面５２，５３および５４，５５が正面のフィルタ面５１との境界に折り曲げ用のヒンジ部５６，５７，５８，５９を介して平面成形された後、各面５２，５３および５４，５５をヒンジ部５６ないし５９で折り曲げ、隣接する面同士を繋ぎ合わせて、図８に示されるような５面構成の箱形フィルタを形成している点において、上記のエアフィルタ５と相違している。
【００３４】
このように、平面成形したフィルタを隣接する面同士を繋ぎ合わせて５面構成の箱形フィルタを形成するため、左右の面５４，５５の上下端位置にそれぞれ爪等の結合手段６０ないし６３を設けるとともに、該結合手段６０ないし６３に対応して上下の面５２，５３の左右端位置に結合穴６４ないし６７を設けており、結合手段６０ないし６３を対応する結合穴６４ないし６７に差し込んで隣接する面同士を繋ぎ合わせることによって、箱形フィルタを形成することができる。
【００３５】
なお、上記エアフィルタ５０の上面５２には、一部にフィルタ面が設けられているとともに、把手６８が一体に成形されており、また、下面５３には、エアフィルタ５０を吸込みパネル３の背面に収納設置するとき、エアフィルタ５０を所定位置に誘導するための上記規制部材２３に相当するコの字断面形状の規制部材６９が一体に成形されている。
【００３６】
上記の如くエアフィルタ５０を構成することによって、５面構成の箱形フィルタを平面成形で一体成形することが可能となり、成形用金型を簡素化し、成形を容易化することができる。また、フィルタ用樹脂材料の使用量を減少することができる。従って、エアフィルタ５０を低コスト化することができるとともに、フィルタ面を増加することにより空力性能を改善し、省エネ化を図ることができる。
【００３７】
なお、本発明は、上記実施形態にかかる発明に限定されるものではなく、その要旨を逸脱しない範囲において、適宜変形が可能である。例えば、上記した実施形態では、エアフィルタ５，５０が５面構成の箱形フィルタとされているが、必ずしも５面構成である必要はなく、吸込みグリル３Ａ，３Ｂの構成との関係で適宜変形することができる。また、傾斜ガイド１５の前後方向傾斜ガイド１６を構成するリブ１７の数や左右方向傾斜ガイド１８を構成する切欠き部１９の数は、適宜設定することができる。
【００３８】
また、上記実施形態では、エアフィルタ５を左右一対のパネル開度調整部材１４Ａ，１４Ｂ間に挿入することによって、下方にスライドさせる際の左右方向位置を規制しているが、パネル開度調整部材１４Ａ，１４Ｂとは別に、吸込みパネル３側にガイド壁等を設けてもよい。さらに、これらパネル開度調整部材１４Ａ，１４Ｂやガイド壁等のエアフィルタ位置規制部材は、必要不可欠なものではなく、左右方向傾斜ガイド１８の切欠き部１９の幅、深さ等を大きめに調整することによって、左右方向傾斜ガイド１８のみで、エアフィルタを所定位置に導き、収納できるようにしてもよい。
【符号の説明】
【００３９】
１  空気調和機
２  キャビネット
３  吸込みパネル
５  エアフィルタ
１５  傾斜ガイド
１６  前後方向傾斜ガイド
１７  リブ
１７Ａ  斜面
１７Ｂ  前後方向の位置決め部
１８  左右方向傾斜ガイド
１９  切欠き部
１９Ａ  斜面
１９Ｂ  左右方向の位置決め部
２３  規制部材（突条部材）
２３Ａ  左右方向突条
２３Ｂ  前後方向突条
５０  エアフィルタ
５１  正面のフィルタ面
５２  上面
５３  下面
５４  左面
５５  右面
５６，５７，５８，５９  ヒンジ部
６０，６１，６２，６３  結合手段
【図１】
2011137564.tif 000003
【図２】
2011137564.tif 000004
【図３】
2011137564.tif 000005
【図４】
2011137564.tif 000006
【図５】
2011137564.tif 000007
【図６】
2011137564.tif 000008
【図７】
2011137564.tif 000009
【図８】
2011137564.tif 000010